(57)【要約】【課題】球抜き時に不用意な操作をして切替弁を破損させるといった事故を防止すると共に、遊技球の計数管理にも支障を来たさないようにした遊技機を提供する。【解決手段】切替弁２７を上端部で軸支２７ａし、ストッパー部材１７の下方に上下動することにより該ストッパー部材１７を往復動させる切替操作部材２８を配設し、これと切替弁２７とに、切替操作部材２８が下降したとき係合して自重で垂下する切替弁２７を回動不能に固定する係合手段２９ａ，４１を設け、切替操作部材２８がストッパー部材１７を押動してこれと球払出制御体１３との係合が解かれる前に係合手段２９ａ，４１が解かれて切替弁２７が自由に回動し得るようにし、球払出制御体１３と切替弁２７との間の球通路１１ａ，１１ｂに遊技球が流下している間は、それにより押され回動した切替弁２７により切替操作部材２８の下降動作が阻止される。【選択図】図７
2009125437.tif 000002
【特許請求の範囲】
【請求項１】
上下方向に設置され遊技球が導かれる球通路と、前記球通路の下流側に形成され該球通路から分岐して設けられる二股状の第一排出路及び第二排出路と、前記球通路内に介入して作動し該球通路内の遊技球を順に排出する球払出制御体と、電動アクチュエータの駆動により往復動し、前記球払出制御体に係合して該球払出制御体の作動を停止させるストッパー部材と、前記球通路の分岐部に設けられ前記球通路の遊技球を第一排出路または第二排出路に切り替えて流下させる切替弁と、を備えた遊技機であって、
前記切替弁を上端部で軸支し、前記ストッパー部材の下方に上下動することにより該ストッパー部材を往復動させる切替操作部材を配設し、前記切替操作部材と前記切替弁とに、前記切替操作部材が下降したとき係合して自重で垂下する前記切替弁を回動不能に固定する係合手段を設け、前記切替操作部材が前記ストッパー部材を押動して該ストッパー部材と前記球払出制御体との係合が解かれる前に前記係合手段が解かれて前記切替弁が自由に回動し得るようにし、前記球払出制御体と前記切替弁との間の前記球通路に遊技球が流下している間は、その遊技球で押され回動した前記切替弁の係合手段により前記切替操作部材の下降動作が阻止されるように設定されたことを特徴とする遊技機。
【請求項２】
上下方向に設置され遊技球が導かれる球通路と、前記球通路の下流側に形成され該球通路から分岐して設けられる二股状の第一排出路及び第二排出路と、前記球通路内に介入して作動し該球通路内の遊技球を順に排出する球払出制御体と、電動アクチュエータの駆動により往復動し、前記球払出制御体に係合して該球払出制御体の作動を停止させるストッパー部材と、前記球通路の分岐部に設けられ前記球通路の遊技球を第一排出路または第二排出路に切り替えて流下させる切替弁と、を備えた遊技機であって、
前記切替弁を上端部で軸支し、前記ストッパー部材の下方に上下動することにより該ストッパー部材を往復動させる切替操作部材を配設し、前記切替操作部材には、該切替操作部材が下降したとき、自重で垂下する前記切替弁に突設された係合ピンに係合し該切替弁を回動不能に固定する係合部を設け、前記切替操作部材が前記ストッパー部材を押動して該ストッパー部材と前記球払出制御体との係合が解かれる前に前記係合ピンが前記係合部から外れて前記切替弁が自由に回動し得るようにし、かつ、前記球払出制御体と前記切替弁との間の前記球通路に遊技球が流下している間は、その遊技球で押され回動した前記切替弁の係合ピンにより前記切替操作部材の下降動作が阻止されるように設定されたことを特徴とする遊技機。
【発明の詳細な説明】
【技術分野】
【０００１】
本発明は、パチンコ遊技機、アレンジボール機などの遊技機に関するものである。
【背景技術】
【０００２】
従来、遊技機の一種であるパチンコ遊技機にあっては、例えば特許文献１に示すように外周に遊技球を受け入れる球受凹部を周設し自在に回転する球払出制御体としてのスプロケットと、電動アクチュエータであるソレノイドの励・消磁により該スプロケットの回転を制御するストッパー部材とを備えた球払出装置を設け、該ストッパー部材によりスプロケットを制御しつつ遊技球を所定個数ずつ払い出すようにしている。また、球払出装置の下流側の球通路には、流下する遊技球を遊技機前面の球受皿に導く第一排出路としての球排出路、または、球抜きするための第二排出路としての球抜き路のいずれかに選択して切り替える切替弁が設けられている。そして、遊技球がスプロケットの上流側に並んで充填されている状態で、球抜きするには、前記ソレノイドを励磁させてストッパー部材とスプロケットとの係合を解き、該スプロケットを各球受凹部に受け入れられる遊技球の自重により回転させる。更に、前記ソレノイドとは別途用意されたソレノイドにより切替弁を作動させ、球排出路から球抜き路へと切り替えるようにしている。よって、球抜きするにソレノイドを１個余分に配設しなければならず、コスト高となっている。
【０００３】
前記特許文献１のコスト高であるという欠点を解消すべく、次のような特許文献２に示される遊技機がある。該特許文献２の遊技機は、特許文献１のように別途ソレノイドを使用することなく、遊技時から球抜き時へ手動で切替弁を切り替えると共に、第１・第２直線部材及びリンク部材を介してスプロケットの回転の規制を解除するようにしている。
【０００４】
【特許文献１】特開２０００−２１８００５号公報（第３−８頁、図５）
【特許文献２】特開２００５−１５２１６９号公報（第４−7頁、図５、図７、図１０）
【発明の開示】
【発明が解決しようとする課題】
【０００５】
しかしながら、前記特許文献２の遊技機にあっては、球抜きを始めてからその球抜きすべき遊技球が、まだ球通路特にスプロケットと切替弁との間に残っているときに、球抜きを中止させようとして手動で強引に切替弁を元の位置に戻そうとすると、切替弁と球通路との間に球抜き中の遊技球が挟み込まれ、これが原因で切替弁が破損するという課題が有った。また、球抜き中に切り替え操作を行なうと、前記球抜きしている遊技球が誤って遊技機前面の球受皿に流れてしまうため、遊技球の計数管理に支障を来たすことになる。
【０００６】
そこで、本発明は上記課題を解決すべくなされたもので、球抜き時に不用意な操作をして切替弁を破損させるといった事故を防止すると共に、遊技球の計数管理にも支障を来たさないようにした遊技機を提供することを目的とするものである。
【課題を解決するための手段】
【０００７】
かかる目的を達成するため本発明の遊技機は、上下方向に設置され遊技球が導かれる球通路と、前記球通路の下流側に形成され該球通路から分岐して設けられる二股状の第一排出路及び第二排出路と、前記球通路内に介入して作動し該球通路内の遊技球を順に排出する球払出制御体と、電動アクチュエータの駆動により往復動し、前記球払出制御体に係合して該球払出制御体の作動を停止させるストッパー部材と、前記球通路の分岐部に設けられ前記球通路の遊技球を第一排出路または第二排出路に切り替えて流下させる切替弁と、を備えた遊技機であって、前記切替弁を上端部で軸支し、前記ストッパー部材の下方に上下動することにより該ストッパー部材を往復動させる切替操作部材を配設し、前記切替操作部材と前記切替弁とに、前記切替操作部材が下降したとき係合して自重で垂下する前記切替弁を回動不能に固定する係合手段を設け、前記切替操作部材が前記ストッパー部材を押動して該ストッパー部材と前記球払出制御体との係合が解かれる前に前記係合手段が解かれて前記切替弁が自由に回動し得るようにし、前記球払出制御体と前記切替弁との間の前記球通路に遊技球が流下している間は、その遊技球で押され回動した前記切替弁の係合手段により前記切替操作部材の下降動作が阻止されるように設定されたことを特徴とする。
【０００８】
例えば、本発明は、上下方向に設置され遊技球が導かれる球通路と、前記球通路の下流側に形成され該球通路から分岐して設けられる二股状の第一排出路及び第二排出路と、前記球通路内に介入して作動し該球通路内の遊技球を順に排出する球払出制御体と、電動アクチュエータの駆動により往復動し、前記球払出制御体に係合して該球払出制御体の作動を停止させるストッパー部材と、前記球通路の分岐部に設けられ前記球通路の遊技球を第一排出路または第二排出路に切り替えて流下させる切替弁と、を備えた遊技機であって、前記切替弁を上端部で軸支し、前記ストッパー部材の下方に上下動することにより該ストッパー部材を往復動させる切替操作部材を配設し、前記切替操作部材には、該切替操作部材が下降したとき、自重で垂下する前記切替弁に突設された係合ピンに係合し該切替弁を回動不能に固定する係合部を設け、前記切替操作部材が前記ストッパー部材を押動して該ストッパー部材と前記球払出制御体との係合が解かれる前に前記係合ピンが前記係合部から外れて前記切替弁が自由に回動し得るようにし、かつ、前記球払出制御体と前記切替弁との間の前記球通路に遊技球が流下している間は、その遊技球で押され回動した前記切替弁の係合ピンにより前記切替操作部材の下降動作が阻止されるように設定された構成からなる。
【発明の効果】
【０００９】
本発明に係る遊技機は、前記切替弁を上端部で軸支し、前記ストッパー部材の下方に上下動することにより該ストッパー部材を往復動させる切替操作部材を配設し、前記切替操作部材と前記切替弁とに、前記切替操作部材が下降したとき係合して自重で垂下する前記切替弁を回動不能に固定する係合手段を設け、前記切替操作部材が前記ストッパー部材を押動して該ストッパー部材と前記球払出制御体との係合が解かれる前に前記係合手段が解かれて前記切替弁が自由に回動し得るようにし、前記球払出制御体と前記切替弁との間の前記球通路に遊技球が流下している間は、その遊技球で押され回動した前記切替弁の係合手段により前記切替操作部材の下降動作が阻止されるように設定された。これにより、球抜きの途中で切替操作部材を下降させようとしても、遊技球で押され回動した切替弁により切替操作部材の下降動作が阻止されるので、球通路に流下する遊技球がなくなるまでは、第一・第二排出路を変更することはできない。よって、球抜き中に不用意に切替弁を回動させ該切替弁と球通路との間に遊技球が挟み込まれて切替弁が破損するといった事故を防止できるという効果がある。また、流下する遊技球により押されて回動した切替弁は遊技球を第二排出路のみに誘導し、第一排出路に排出させるようなことがないので、常に、好適な遊技球の計数管理ができるという効果がある。
【００１０】
更に、球抜き中に切替操作部材を少し下降させることによりストッパー部材が球払出制御体に係合して該球払出制御体の回転を停止させることができるので、球払出制御体と切替弁との間の球通路に流下する遊技球が残っていない状態では、切替弁がその自重で回動して切替操作部材の前記阻止状態が解かれる。よって、これに伴い切替操作部材を下端位置まで下降させ、係合手段により切替弁を回動不能に固定するようにすれば、切替弁を破損させることなく球通路を第二排出路から第一排出路に切り替えることができる。
【発明を実施するための最良の形態】
【００１１】
以下、本発明に係る遊技機の実施の形態を図面に基づき詳しく説明する。本発明は、パチンコ遊技機、アレンジボール機、雀球機、パチスロ機、パロット（登録商標）機等の遊技機に適用されるが、この内、本発明はパチンコ遊技機に適用される場合について説明する。なお、前記パロット機とは、パチンコ球を遊技媒体としてパチスロ機の遊技が可能な遊技機である。
【００１２】
図１は本発明に係るパチンコ遊技機の背面図であり、該パチンコ遊技機Ｐは縦長長方形状の機枠１を有し、該機枠１の前側に本体枠２が装着され、該本体枠２の裏側に遊技盤３の裏面を覆うようにして合成樹脂製の機構板４が開閉自在に装着される。該機構板４の上部には球タンク５が配設され、その下方に該球タンク５から排出される遊技球を誘導する球誘導レール６が配設される。そして、該球誘導レール６の流下端に、球払出装置７が接続される。また、球払出装置７の下流側には、該球払出装置７から払い出された遊技球をパチンコ遊技機Ｐ前面の球受皿（図示せず。）に賞球または貸し球として払い出すための第一排出路としての球払出通路８と、営業終了後に球抜きする際に、それら遊技球をパチンコ遊技機Ｐの外部に排出するための第二排出路としての抜き球排出通路９とが設けられている。
【００１３】
次に、球払出装置７について詳しく説明する。図２（イ）は前面板を外し前側から見た球払出装置の斜視図、同（ロ）は後面板を外し後側から見た球払出装置の斜視図、図３は球払出装置の前から見た分解斜視図、図４は同一部の拡大斜視図、図５は同一部の拡大斜視図である。球払出装置７の装置本体１０は合成樹脂材から縦長直方体形状に形成され、上部前面が窪んだ主体枠１０ａとその前面を覆う前面板１０ｂと、該前面板１０ｂと主体枠１０ａの上部前面との間に前後に重なるようにして嵌まり込む前部半裁体１０ｃ及び後部半裁体１０ｄと、主体枠１０ａの下部後面を覆う後面板１０ｅとから大略構成される。これら主体枠１０ａ、前・後面板１０ｂ，１０ｅ及び前・後部半裁体１０ｃ，１０ｄが組み合わさって装置本体１０の中に前後２条の球通路１１ａ，１１ｂが形成される。装置本体１０の外周面一側に、球誘導レール６から供給される遊技球が流入する球入口１２ａ，１２ｂが開設される。２条の球通路１１ａ，１１ｂは、互いに蛇行状に屈曲して上下方向に設けられている。これは、次に説明する球払出制御体としてのスプロケット１３に多くの遊技球の球圧が加わらないようにしてその回転を円滑にさせるためである。
【００１４】
両球通路１１ａ，１１ｂの途中には、その一側に隣接するようにしてスプロケット１３が配置される。該スプロケット１３は外周の一側が両球通路１１ａ，１１ｂ内に介入し、該球通路１１ａ，１１ｂ内を流下する遊技球を一個ずつ切ってその下方へ排出するためのものであり、支軸１４により軸支され両球通路１１ａ，１１ｂの中心線を含む面内で回転するようになっている。スプロケット１３の両側面に、各球通路１１ａ，１１ｂの遊技球を一つずつ切って排出するために、それぞれ３枚の羽根１５ａ，１５ｂが中心軸から放射状にかつ等間隔に突設される。ただし、一側面の３枚の羽根１５ａと他側面の３枚の羽根１５ｂとは、回転方向の位相がずらせてある。これにより、スプロケット１３からは遊技球が必ず１個ずつ払い出され、同時に２個払い出されることはない。また、スプロケット１３の前後の羽根１５ａ，１５ｂの間に、これら羽根１５ａ，１５ｂの外周よりも一回り大きい複数の係合突起１６が等間隔に周設される。
【００１５】
前記スプロケット１３の上方に、上部一側で軸着されスプロケット１３の回転面を含む面内で往復動すなわち揺動するストッパー部材１７が配置される。該ストッパー部材１７は、スプロケット１３の回転を一旦停止させるためのものであって、支軸部１７ａから一側へ延びる二股状部１８の下面に支持片１９が垂下され、該支持片１９の下端に前記スプロケット１３の外周に列設された係合突起１６間に嵌まり込んでスプロケット１３の回転を停止させる係合爪部２０が設けられている。該係合爪部２０は係合突起１６間の間隔とほぼ同じ幅を有し、係合爪部２０が隣り合う両係合突起１６間に係合した状態ではスプロケット１３がガタつかないようになっている。
【００１６】
また、ストッパー部材１７の上方に電動アクチュエータであるソレノイド２１が縦向きに配置され、その下面から下方へプランジャー２２が延びると共に該プランジャー２２下端の座板２２ａが、前記ストッパー部材１７の二股状部１８の先端部に介入している。そして、ソレノイド２１の励・消磁に伴うプランジャー２２の上下動作により、ストッパー部材１７の係合爪部２０がスプロケット１３に係合または離脱するようになっている。前記ストッパー部材１７とソレノイド２１とをそれぞれ別体に形成したが、ソレノイド２１にストッパー部材１７を一体に形成するようにしても良い。
【００１７】
前記スプロケット１３に隣接させて、フォトセンサ２３が配置される。このフォトセンサ２３の投光部２３ａと受光部２３ｂがそれぞれ係合突起１６の両側に位置し、係合突起１６の個数を検出することによりスプロケット１３の回転数すなわち払い出し球数を検出するようにしている。スプロケット１３の下方の球通路１１ａ，１１ｂには、該球通路１１ａ，１１ｂを流下する遊技球を検出するための球検出器２４が配置され、通過する遊技球の個数を検出するようにしている。該球検出器２４の下流側の球通路１１ａ，１１ｂは、二股状の第一排出路である球払出通路８と第二排出路である抜き球排出通路９とに分岐して分かれる。そして、その分岐部に、球通路１１ａ，１１ｂを球払出通路８または抜き球排出通路９に連通するように切り替える切替弁２７が配置される。
【００１８】
前記切替弁２７は上端部で軸２７ａにより軸支され、自由な状態ではその自重により垂下する。そして、球通路１１ａ，１１ｂを流下する遊技球が切替弁２７に当接して押すことにより抜き球排出通路９が開放され、それら遊技球を抜き球排出通路９へ導く。また、切替弁２７は、後記する切替操作部材２８により抜き球排出通路９を塞ぐ位置に回動不能に固定され、球通路１１ａ，１１ｂを流下する遊技球を球払出通路８に導くようにしている。２５は球通路１１ａ，１１ｂの一側に設けられた空切り防止用の球検出器であり、スプロケット１３より上方の球通路１１ａ，１１ｂ内に遊技球が２５個並ぶ位置に設置される。これにより、常に払い出される貸し球に不足分がないように検知している。不足している場合は、スプロケット１３による払い出しがなされない。２６はスプロケット１３の一側に開設された開口２６ａを塞ぎかつ球通路を形成する通路壁であり、該通路壁２６はスプロケット１３周囲での球噛みを防止するためポリアセタール等の接触する遊技球が滑り易い樹脂で成形される。
【００１９】
装置本体１０の後側に、球通路１１ａ，１１ｂに沿って上下動する切替操作部材２８が配設される。該切替操作部材２８は、球抜きするために使用するためのものである。更に、詳しく説明すると、切替操作部材２８は、上半体部２８ａの横幅が狭く、下半体部２８ｂの横幅が広く形成されている。そして、下半体部位２８ｂの一側は、そのまま切替弁２７側へ斜め下方へ伸びかつ切替弁にほぼ前後で重なるようにして舌状板部２９が一体に設けられている。該舌状板部２９の一側縁の下部は、その下端角部から上方に向かって切替操作部材２８の上下方向と平行な直線部となり、該直線部が前記切替弁２７が自重で垂下した状態で、該切替弁２７に突設された係合手段としての係合ピン４１と係合し得る係合手段としての係合部２９ａとなっている。よって、切替弁２７が自由に回動できる状態でかつその自重で垂下しているときは、切替操作部材２８が下降することにより前記係合ピン４１と係合部２９ａとが係合し、切替弁２７が回動不能に固定される。この際、抜き球排出通路９が塞がれ、球通路１１ａ，１１ｂを流下する遊技球は球払出通路８に導かれる。
【００２０】
前記切替操作部材２８の上半体部２８ａの上端は、その上昇動作に伴って前記ストッパー部材１７の先端部を下から押し上げ、ストッパー部材１７と係合突起１６との係合を解くことができるようになっている。また、下半体部２８ｂの上縁部に、上端部を残して周囲を切欠くことにより弾性を付与した弾性係止片３１が設けられ、該弾性係止片３１の先端部の外側面に突起３２が突設されている。３３は切替操作部材２８の後面に一体に設けられ、パチンコ遊技機Ｐの裏側から指で摘んで切替操作部材２８を操作するための操作摘みである。そして、後面板１０ｅを被せた状態では、操作摘み３３が後面板１０ｅに開設された縦孔３４から外側へ突出し、弾性係止片３１の突起３２は、縦長溝３５ａまたは該縦長溝３５ａの上端から上方へ僅かに離れた位置に設けられる凹欠部３５ｂに嵌合する。突起３２が縦長溝３５ａ内にあるとき、切替操作部材２８は自在に上下動作でき、凹欠部３５ｂにあるときは、切替操作部材２８が上端に位置しそのまま停止できるようになっている。切替操作部材２８の下方に検出スイッチとしてのリミットスイッチ４２が配置され、球抜きするため切替操作部材２８の上昇動作に伴ってその動作を検知するようにしている。
【００２１】
切替操作部材２８の下方でありかつ球払出通路８に近接させて、一側面が球払出通路８に臨み下端で軸支した検知レバー４３が配置される。また、その背後に該検知レバー４３の傾動動作を検知するリミットスイッチ４４が配置される。これは、パチンコ遊技機Ｐ前面の球受皿（図示せず。）が遊技球で一杯になり、しかも、球払出通路８内にも遊技球が溜まると球詰まりになる危険性が生ずることから、その危険性を回避するために設けられている。すなわち、球払出通路８内に遊技球が一杯になってくると、該遊技球により検知レバー４３を外側へ押す。これに伴い、傾動する検知レバー４３をその背後に位置するリミットスイッチ４４がオンして知らせる。同時に、遊技球の払い出しを一旦停止させる。その一手段としては、例えば打球の発射を停止させるという手段が採られる。
【００２２】
本発明に係るパチンコ遊技機Ｐは前記構成からなり、次に作用について説明する。パチンコホールの営業中にあっては、図７（イ）に示すように切替操作部材２８を下端位置に下げておく。この状態では、ストッパー部材１７から切替操作部材２８の上半体部２８ａが離れ、該ストッパー部材１７はソレノイド２１の励消磁により揺動する。ソレノイド２１が消磁しているときは、ストッパー部材１７が係合突起１６間に嵌まり込んで、スプロケット１３の回転を停止させている。また、切替弁２７の係合ピン４１が、切替操作部材２８の係合部２９ａに係合している。しかも、切替弁２７の先端部２７ｂが球払出通路８と抜き球排出通路９との仕切壁４６の側面に当接している。この状態では、切替弁２７が抜き球排出通路９を塞ぐようにしてロックされ、同時に球払出通路８を開放している。そして、球タンク５から排出される遊技球は、２条の球通路１１ａ，１１ｂを流下し、その最先の遊技球がスプロケット１３の羽根１５ａ，１５ｂの上面に載って停止している。
【００２３】
そこで、貸し球の払い出し指令または賞球の払い出し指令が出されると、ソレノイド２１が励磁してそのプランジャー２２が引き上げられ、ストッパー部材１７を揺動させ、係合突起１６と係合爪部２０との係合を解く。これにより、遊技球の球圧によってスプロケット１３が回転し、遊技球を１個ずつ排出させる。排出された遊技球は、球検出器２４により検出される。所定量の遊技球が排出されると、ソレノイド２１が消磁してそのプランジャー２２が下方へ突出し、ストッパー部材１７が下方へ揺動して係合爪部２０と係合突起１６とを係合させる。これにより、スプロケット１３が停止し、遊技球の払い出しが止められる。払い出された遊技球は、流下して分岐部から切替弁２７に案内されて球払出通路８に流入し、パチンコ遊技機Ｐ前面の球受皿に貯留されることになる。
【００２４】
次に、例えば営業終了後にパチンコ遊技機Ｐ内の遊技球を球抜きする場合、図７（ロ）に示すように切替操作部材２８を少し上昇させる。すなわち、係合部２９ａの下端から係合ピン４１が外れる位置に来るまで切替操作部材２８を上昇させる。この状態では、切替操作部材２８の上半体部２８ａは、ストッパー部材１７から離れている。また、切替弁２７は自由に回動できるようになる。このように、球抜きすべくパチンコ遊技機Ｐの背面側から操作摘み３３を摘んで切替操作部材２８を少し上昇させると、切替操作部材２８がストッパー部材１７を作動させる前に切替弁２７が自由になる。すなわち、抜き球排出通路９に遊技球を誘導できる準備ができてから、スプロケット１３が開放されて遊技球が球抜きされるので、それら球抜きされた遊技球は確実に抜き球排出通路９に導かれ、誤って、球払出通路側へ排出されることはない。
【００２５】
そして、パチンコ遊技機Ｐ内の遊技球を球抜きするため、切替操作部材２８を図７（ハ）に示すように上端位置へ上昇させる。この際、図６鎖線に示すように弾性係止片３１の突起３２が、後面板１０ｅの凹欠部３５ｂに嵌合して切替操作部材２８をその上昇位置で停止させ、該切替操作部材２８によりストッパー部材１７を押し上げる。これにより、スプロケット１３の係合突起１６とストッパー部材１７の係合爪部２０との係合が解かれ、スプロケット１３が自由に回転するようになる。よって、遊技球の球圧によりスプロケット１３が回転し、遊技球が一気に排出される。
【００２６】
また、切替操作部材２８が上端位置に上昇したことにより、前記排出される遊技球が切替弁２７に接触して該切替弁２７を一側、すなわち、抜き球排出通路９を開放する側へ押す。このとき、係合ピン４１が切替操作部材２８における舌状板部２９の下縁から僅かに下方に位置し上下方向で重なっている。これにより、舌状板部２９の下縁が係合ピン４１に当たって切替操作部材２８の下降動作が阻止される。よって、この状態では手で操作摘み３３を摘んで切替操作部材２８を作動させることができない。そして、前記球通路１１ａ，１１ｂを流下する遊技球は、図７（ハ）に示すように分岐部で切替弁２７の凹弧面に当接しつつ該切替弁２７を押し退けて、抜き球排出通路９に流入する。抜き球排出通路９に流入した遊技球は、パチンコ遊技機Ｐの外に排出されることになる。
【００２７】
球抜きが完了すると、図７（ロ）のように遊技球により一側へ押されていた切替弁２７がその自重で回動して、係合ピン４１が切替操作部材２８における舌状板部２９の係合部２９ａに係合し得る位置に戻る。そこで、図７（イ）に示すように切替操作部材２８を下端位置まで下降させる。これにより、係合ピン４１が係合部２９ａに係合し、切替弁２７が球払出通路８を開放しかつ抜き球排出通路９を塞いだ状態で回動不能に固定される。よって、スプロケット１３により払い出された遊技球は、すべて球払出通路８を通ってパチンコ遊技機Ｐの前面の球受皿に排出される。
【００２８】
このように本発明に係るパチンコ遊技機Ｐは、切替操作部材２８の上昇動作に伴って、ストッパー部材１７とスプロケット１３との係合が解かれる前に、切替弁２７の係合ピン４１が切替操作部材２８の係合部２９ａとの係合から外れ、切替弁２７が自由に回動し得るようになる。また、切替操作部材２８の下降動作に伴って、ストッパー部材１７とスプロケット１３とが係合し、かつ、スプロケット１３から切替弁２７間の球通路１１ａ，１１ｂを遊技球が流下している間は、その遊技球で押され回動した切替弁２７の係合ピン４１により切替操作部材２８の下降動作が阻止される。そして、前記球通路１１ａ，１１ｂの遊技球が流下してしまうと、切替弁２７が自重で回動すると共に切替操作部材２８が下降して係合ピン４１が係合部２９ａに係合するようになる。
【００２９】
そこで、図７（ハ）に示すような球抜きの途中で、切替操作部材２８を下降させようとしても、切替操作部材２８における舌状板部２９の下端縁が切替弁２７の係合ピン４１に当接してその下降動作を阻止する。これにより、球抜き中に不用意に切替弁２７を回動させ該切替弁２７と球通路１１ａ，１１ｂとの間に遊技球が挟み込まれて切替弁２７が破損するといった事故が防止される。また、切替弁２７は流下する遊技球が有る限り、該遊技球により押され該遊技球を抜き球排出通路９のみに誘導し、球払出通路８に排出させることはないので、常に、好適な遊技球の計数管理ができる。
【００３０】
球通路１１ａ，１１ｂ内の遊技球が全て抜かれると、切替弁２７が自由になってその自重により図７（ロ）に示すように切替操作部材２８の係合部２９ａと係合し得る位置に戻る。この状態になると、切替操作部材２８を下方へ下降させることができるようになり、係合部２９ａと係合ピン４１とが係合して切替弁２７が固定される。この際、球抜き終了後に切替弁２７の係合ピン４１による下降動作のロックを解除された切替操作部材２８を検出するリミットスイッチ４２が設けられているので、球抜き作業終了後に、切替操作部材２８を下端の元の位置に下げておくことを忘れたとしても、その球抜き作業が終了し切替操作部材２８が上がったままになっていると、これを検知してパチンコホールの係員に知らせることができる。
【００３１】
本発明においては、球払出制御体としてスプロケット１３を示したが、これに限定されるものではない。例えば、球通路に臨みソレノイドの励・消磁により球通路内に進退動して、該球通路内を流下する遊技球を所定個数ずつ払い出すようにした球払出制御体が有る。また、係合手段として切替操作部材２８に係合部２９ａ、切替弁２７に係合ピン４１を設けるようにしたが、逆に、切替操作部材２８に係合ピン４１、切替弁２７に係合部２９ａを設けるようにしても良い。
【図面の簡単な説明】
【００３２】
【図１】本発明に係るパチンコ遊技機の背面図。
【図２】（イ）は前面板を外し前側から見た球払出装置の斜視図、（ロ）は後面板を外し後側から見た球払出装置の斜視図。
【図３】球払出装置の前から見た分解斜視図。
【図４】同一部の拡大斜視図。
【図５】同一部の拡大斜視図。
【図６】切替操作部材の弾性係止片部位の拡大側面断面図。
【図７】（イ）は後面板を外して裏から見た球払出装置の作用図、（ロ）は後面板を外して裏から見た球払出装置の作用図、（ハ）は後面板を外して裏から見た球払出装置の作用図。
【符号の説明】
【００３３】
８              第一排出路（球払出通路）
９              第二排出路（抜き球排出通路）
１１ａ，１１ｂ  球通路
１３            球払出制御体（スプロケット）
１７            ストッパー部材
２１            電動アクチュエータ（ソレノイド）
２７            切替弁
２７ａ          軸
２８            切替操作部材
２９ａ          係合手段（係合部）
４１            係合手段（係合ピン）
Ｐ              パチンコ遊技機
【図１】
2009125437.tif 000003
【図２】
2009125437.tif 000004
【図３】
2009125437.tif 000005
【図４】
2009125437.tif 000006
【図５】
2009125437.tif 000007
【図６】
2009125437.tif 000008
【図７】
2009125437.tif 000009